【事件の表示】
　特願２００３−１８３８７０「金属基板上のアレイの作製方法」拒絶査定不服審判事件〔平成１７年　１月２０日出願公開、特開２００５−　１７１５５〕について、次のとおり審決する。
【結　論】
　本件審判の請求は、成り立たない。
【理　由】
第１　手続の経緯
　本願は，平成１５年６月２７日の出願であって，平成１９年１２月１１日付けで拒絶査定がされ，これに対し，平成２０年１月１６日に拒絶査定不服審判の請求がされるとともに，同年２月１３日付けで手続補正がされたものである。
　
第２　平成２０年２月１３日付けの手続補正についての補正の却下の決定
　
　［補正却下の決定の結論］
　　平成２０年２月１３日付けの手続補正を却下する。
　
　［理由］
１　補正後の本願発明
　平成２０年２月１３日付けの手続補正（以下，「本件補正」という。）は，明細書の特許請求の範囲を補正するものであって，そのうち請求項１についてする補正は，補正前（平成１９年１０月４日付け手続補正書。以下同様。）の特許請求の範囲の
「【請求項１】スポッター内部を閉鎖空間とし、加湿機構を設け、該スポッター内部の空気を循環させることにより基板周囲の湿度を７０％ＲＨ以上に保ち、かつ緩衝材とともに取り付けられたピンを用いてスポッティング操作を行う金属基板上の表面プラズモン共鳴イメージング測定用のアレイの作製方法。」
及び
「【請求項４】スポッティングの中心間間隔が１．５ｍｍ以下である請求項１〜３のいずれかに記載のアレイの作製方法。」
を，
「【請求項１】
スポッター内部を閉鎖空間とし、加湿機構を設け、該スポッター内部の空気を循環させることにより基板周囲の湿度を７０％ＲＨ以上に保ち、かつ緩衝材とともに取り付けられたピンを
金属基板上に接触によって
ことを特徴とするスポッティングの中心間間隔が１．５ｍｍ以下である
　
　上記補正は，補正前に，請求項１を引用する請求項４として引用形式で記載されていたものを，独立形式として記載し，当該補正前の請求項に記載した発明を特定するために必要な事項である「スポッティング操作を行う」ことについて，補正前に「ピンを用いて」とあったものを，補正後に「ピンを
金属基板上に接触によって
　
　そこで，本願補正発明が特許出願の際独立して特許を受けることができるものであるか（平成１８年改正前の特許法第１７条の２第５項において準用する同法第１２６条第５項の規定に適合するか）について検討する。
　
２　引用例
（１）引用例
　原査定の拒絶の理由に引用した，“多サンプルの生体分子間相互作用を同時解析できるSPRチップ・システムの開発”，[on line]，２００３年２月２５日，東洋紡績株式会社，［２００７年８月１５日検索］，インターネット ＜ＵＲＬ：http://www.toyobo.co.jp/press/press152.htm＞（以下「引用例」という。）は，本願出願日前に電気通信回線を通じて公衆に利用可能となった（公知日に関して，Internet Archive ＜ＵＲＬ：http://web.archive.org＞ にて，本文は，２００３年４月５日時点で，添付資料は，２００３年６月８日時点で，それぞれ前記ＵＲＬに掲載されていたことが確認できる。）ものであり，図面とともに次の事項が開示されている（下線は当審にて付加した）。
　　
ア　「多サンプルの生体分子間相互作用を同時解析できるSPRチップ・システムの開発
東洋紡は、
表面プラズモン共鳴（ＳＰＲ）イメージング法
　
イ　「2.「ＭｕｌｔｉＳＰＲｉｎｔｅｒ」表面プラズモン共鳴イメージングシステムの特長
(1)ＳＰＲイメージを解析することにより、多サンプル同時に、かつラベルなしにリアルタイム相互作用を解析可能です。
(2)
専用スポッターを用いて最大９６サンプルを1つのチップ上に固定できます
(3)
官能基を固定したチップを供給するため、容易にアレイが作製できます
(4) 微量サンプルの解析が可能です。
(5) 従来のＳＰＲ機器と同等もしくは安価です。」
　
ウ　「＜脚注＞
注1)　
表面プラズモン共鳴（ＳＰＲ）イメージング法
　
表面プラズモン共鳴（ＳＰＲ）法は、金属薄層上の屈折率変化を反射光強度の変化から検出できる方法
ＳＰＲイメージング法はチップの広範囲に光を照射し、その反射像をＣＣＤカメラで撮影する方法
金属薄層上に複数の物質を固定化したアレイを作製することで、複数の相互作用が同時に解析可能になります
　
エ　「仕様
・・・
自動スポッター機器
サイズ W520xD385xH570 (mm)
スポッティング径 500μm
スポッティング間隔 1mm
・・・」（添付資料第２頁）
　
　以上の事項を総合すると，引用例により，
「専用スポッターにより，スポッティング径 500μm，スポッティング間隔 1mmでサンプルをチップ上に固定し，金属薄層上に複数の物質を固定化したアレイを作製する，表面プラズモン共鳴（ＳＰＲ）イメージング法によって解析するためのアレイの作製方法。」（以下，「引用発明」という。）
が電気通信回線を通じて公衆に利用可能であったと認められる。
　
（２）周知例１
　本願出願日前に頒布された刊行物である，国際公開第０１／９４００３号（以下「周知例１」という。）には，図面とともに，次の事項が記載されている（下線は，当審にて付加した。翻訳は対応する公表公報である特表２００４−５０３３５４号公報による）。
　
ア　「【０００２】
マイクロアレイのスポッティング器具（「スポッタ」としても知られる）は
タンパク質
の小さなサンプルをマイクロアレイ基板上に配置するために使用される
【０００３】
図１は、一般的なスポッタ１０の構成要素を示す簡略化したブロック線図である。スポッタ１０は、（１）１枚以上の容器プレートを保持するプレート保持ウェルステーション１２と、（２）複数のマイクロアレイ基板（一般に２０〜１００枚の基板）を保持する基板保持ステーション１４と、（３）複数のマイクロアレイスポッティングピン（例えば図２に示す）を保持するプリントヘッド１６と、（４）ピン洗浄及び乾燥装置１８と、（５）プリントヘッドをプレート、基板、洗浄及び乾燥装置に対してＸ、Ｙ、Ｚ方向に移動するためのロボットの操作アームを備えるアクチュエータシステム２０とを含む。
湿度制御環境を提供するために、スポッタは囲い２１内に囲われている
　
（３）周知例２
　本願出願日前に頒布された刊行物である，特開平１１−２８１５３４号公報（以下「周知例２」という。）には，図面とともに，次の事項が記載されている（下線は，当審にて付加した）。
　
ア　「【０００１】
【発明の属する技術分野】本発明は、
ＤＮＡの分析等のためにバイオチップ上に結合されたプローブＤＮＡ等に試料を添加するための試料添加方法及び試料添加装置
【０００２】
【従来の技術】
分子生物学や生化学の分野では
蛋白質などの生体高分子を同定・分画することが行われ
　
イ　「【００１７】
【発明の実施の形態】以下、図面を参照して本発明の実施の形態を説明する。図１は、
本発明による試料添加装置の一例
加湿装置２５は超音波加湿器などからなり、水蒸気を送り込むことによって筐体内の相対湿度を９５％以上に保つ
　
（４）周知例３
　原査定の拒絶の理由に引用した，本願出願日前に頒布された刊行物である，特開２００３−９８１７２号公報（以下「周知例３」という。）には，図面とともに，次の事項が記載されている（下線は，当審にて付加した）。
　
ア　「【０００１】
【発明の属する技術分野】
本発明は、支持体上に形成された検出部の特定の位置に、検知対象物と特異的に反応する反応物質を固定化するセンサデバイスの製造方法及びその装置、試料を収めた針管を支持体上に当接させて、試料を支持体上にスポッティングするスポッティング装置、及びスポッティング装置の針管体に関する
　
イ　「【００３５】
【実施例】以下
本発明の一実施例によるセンサデバイスの製造装置
【００３６】まず、図１と図２を用いて本発明の一実施例によるセンサデバイスの製造装置の全体構成について説明する。図１及び図２に示すように、本実施例による
センサデバイスの製造装置は、スポッティングする反応物質を収めるヘッド部１
ヘッド部１は、支持体４の面に対して垂直方向に取り付けられ、支持体４に当接することにより反応物質をドット状にスポッティングする
【００３７】また、
同装置には、加湿装置８と除湿装置９とを備えており、装置周辺を一定の湿度で保つことにより、スポッティングされた微量の反応物質の乾燥を防いでいる。反応物質を支持体４にスポッティング中、スポッティングされた液滴の乾き防止のため高湿な状態に保持することが好ましい。好適な湿度は、１００％であるが、装置の機器の耐湿度条件が上限で８０〜９０％であるため、その範囲内で加湿することが好ましい。加湿範囲は、装置全体または、スポッティングしている支持体周辺のどちらでもよい。加湿装置８をスポッティング装置から、１．５〜２ｍ離し、加湿を行ったところ、基板周辺の湿度を９０％以上に保持することが出来た
支持体４の周辺のみを加湿するなら、一方から加湿し、他方では除湿することにより、支持体４の周辺のみを加湿することができる
【００３８】なお、上記実施例で説明した反応物質補給部２は、温度調節機構、例えば、保冷剤、電子冷却器、又は反応物質補給部２周辺に適切な温度に調整された液体または気体を循環させることにより反応物質の温度が一定となるようになっている。なお、ここで示した温度調節機構は一例であり、温度を一定に保つことが可能であれば他の手段であっても何ら差し支えない。
【００３９】次に、図３から図５を用いて同
センサデバイスの製造装置に用いるスポッティング装置
針管体を構成するヘッド部１は、両端が開口された中空軸材１０の両端開口部に、それぞれ弾性体１１を設けている。スポッティングする反応物質を収める針管１２は、弾性体１１によって支持され、弾性体１１で両端を固着した中空軸材１０の軸方向に貫通させている
ヘッド部１は、電動モータまたはシリンダからなる上下可動部３により上下移動可能に支持されている
性体１１の弾性力によりＺ軸方向のばらつきを吸収することが可能なため、針管１２の破損やＺ軸方向のストローク誤差によるスポッティングミスを防ぐことが出来る
　
ウ　「【００５９】また、
除湿装置や加湿装置などの除加湿装置により、ヘッド部１あるいは、装置全体の湿度を一定に保つことができるため、反応物質の乾燥を防ぐことができる。また、本実施例における反応物質として一部抗体として説明したが、検知対象物が抗原の場合には反応物質は抗体であり、検知対象物が抗体の場合には反応物質は抗原となる。このように本実施例で製造されるセンサデバイスは抗体チップとして利用できる
　
（５）周知例４
　原査定の拒絶の理由に引用した，本願出願日前に頒布された刊行物である，特開平１−２８５１８５号公報（以下「周知例４」という。）には，図面とともに，次の事項が記載されている（下線は，当審にて付加した）。
　
ア　「２．特許請求の範囲
（１）外殻の一部に開閉自在の外扉を有し、
　前記外殻の内部を入口空間と調節空間と試験空間とに連通状態で区画し、
　
調節空間内には
湿度を調節する調節機材と、調節空間内の空気を試験空間へ向け送気する送風設備とを配備し
　試験空間内には調節空間から送気される空気の上流側に除菌機材を配備すると共に、試験空間の一部に入口空間に面して内扉を設けてなる、
　
環境調節施設
　
イ　「＜産業上の利用分野＞
　
本発明は各種の培養試験等を行うための環境調節施設に関する
　
ウ　「＜本発明の構成＞
　以下、図面を参照しながら本発明の一実施例について説明する。
（イ）環境調節施設の全体構造
　第１図に
環境調節施設置の全体
　２は外殻であり、その一部に外扉３が設けてある。
外殻２の内部は横方向に３つに仕切られ、下から調節室Ａと中間室Ｂと
を有する
　さらに
中間室Ｂは縦方向に仕切られ入口室Ｂ１と培養試験を行う試験室Ｂ２と奥室Ｂ３とを有する
（ロ）調節室の構造
　
調節室Ａは中間室Ｂ内の環境を調節するための諸機械
加湿装置７、送風機８
を配備する空間
調節室Ａは奥室Ｂ３及び入口室Ｂ１に連通している
所定の
湿度に調節された空気を送風機８が吸引し、吸引した空気を奥室Ｂ３へ送気できる
（ロ）中間室
　奥室Ｂ３は、送風機８から送気された空気を除菌するための除菌フィルタ１３を収容する空間である。除菌フィルタ１３は公知のものを採用する。他方、奥室Ｂ３及び入口室Ｂ１と区画する試験室Ｂ２の各隔壁１４、１５は、通気性を有する素材で構成されている。これらの各隔壁１４、１５としては、板面に多数の開孔群を開設した板体を使用することが望ましい。これは各隔壁１４、１５の開孔群に試験室Ｂ２内を透過する空気の整流を図るためである。入口室Ｂ１との境界部分の隔壁１４には、開閉式の内扉１６が設けられている。この内扉１６の板面にも隔壁１４と同様に多数の開孔群が開設されている。内扉１６は使用目的に応じて人間が出入りできる寸法に形成したり、或は腕だけを出し入れできる小形に形成する。試験室Ｂ２の天上には滅菌用の滅菌灯１７が設けられている。滅菌灯１７としては紫外線を発光するもの等公知の機器を採用する。なお、隔壁１４および内扉１６を有孔透明材で構成すると、試験室Ｂ２内を外部から容易に透視できる。」（第１頁右下欄下から２行目から第２頁左下欄第１１行目。）
　
エ　「＜本発明の作用＞
　次に前述した
環境調節施設置の作動
（イ）正常運転時
　外扉３および内扉１６を閉鎖した状態で環境調節施設１を運転する。
送風機８が稼働すると、調節室Ａ内の空気を奥室Ｂ３へ向け送気する。奥室Ｂ３内へ送気された空気は
試験室Ｂ２内へ流入する
　除菌フィルタ１３を透過した空気は滅菌されるから、試験室Ｂ２へは滅菌された空気だけが流入することになる。さらに試験室Ｂ２内を空気が通過する際、滅菌灯１７により再度滅菌される。
試験室Ｂ２内に流入した空気は
入口室Ｂ１内へ移動する
　
入口室Ｂ１内の空気は通気性を有する床材９を経て調節室Ａへ吸引される。以上の過程で空気が循環する
加湿装置７を制御して、常に試験室Ｂ２内を所望の環境に調節する
　又、試験室Ｂ２内の空気の移動は、隔壁１４、１５の整流機能により均一な風速分布が得られる。」（第２頁左下欄下から３行目から右下欄末行。）
　
オ　「＜その他の実施例＞
　前記実施例は調節室Ａを中間室Ｂの下方に位置させた場合について説明したが、中間室Ｂの側方又は上方であっても、同様に機能する。
　又、以上の実施例は室内に適用した場合について説明したが
、前記実施例の施設を縮小して容器化しても良いことは勿論である
　
（６）周知例５
　原査定の拒絶の理由に引用した，本願出願日前に頒布された刊行物である，特開平１１−３３７５５７号公報（以下「周知例５」という。）には，図面とともに，次の事項が記載されている（下線は，当審にて付加した）。
　
ア　「【０００１】
【発明の属する技術分野】この発明は、例えば
生体試料や多成分物質溶液の各成分を特定する際にマイクロプレート上の各ポケットに注入された生体試料や各種成分が混合された多成分物質溶液等の試料を微小量で平板上に分注する微量分注装置
【０００２】
【発明が解決しようとする課題】例えば上記した
生体試料を特定する際や表面プラズモン共鳴角検出装置（以下、ＳＰＲ検出装置）により溶液中の成分を特定する際、試料プレートとしてのマイクロプレート上に注入された生体試料や試験管内に注入された溶液等の試料を分注プレートとしての平板上に微小量で分注している
　
イ　「【０００９】
【発明の実施の形態】以下、本発明の実施形態を図に従って説明する。
【００１０】図１は微量分注装置の概略を示す全体斜視図である。図２は分注部材の拡大図である。図３は図２のIII−III線縦断面図である。
【００１１】微量分注装置１のテーブル３上には、分注台５が取付けられると共に図示するテーブル３の左側には洗浄及び乾燥ユニット７が配置されている。そして分注台５の図示する左側部分には所定数（９６穴或いは３８４穴）のポケット９ａが配列された試料プレートとしてのマイクロプレート９が配置され、夫々のポケット９ａ内にはサンプリングされる生体物質や複数成分を含有した溶液等の試料４１が注入されている。又、分注台５の図示する左側部分は試料が分注される分注プレートとしての平板１１が配置されている。
・・・
【００１４】可動フレーム１５には可動体としてのスライダ２１が可動フレーム１５の長手方向（Ｙ軸方向）へ移動可能に支持され、該スライダ２１のナット（図示せず）は数値制御可能なサーボモータ、パルスモータ等の第２電動モータ２３に連結され、可動フレーム１５に回転可能に支持された第２送りねじ（図示せず）噛合わされている。そしてスライダ２１は第２電動モータ２３の駆動に伴って可動フレーム１５の長手方向へ往復移動される。
【００１５】スライダ２１には分注ユニット２５が、上下方向（Ｚ軸方向）に軸線を有したシリンダー２７を介して取付けられ、シリンダー２７の作動により分注ユニット２５がＺ軸方向へ往復移動される。分注ユニット２５のホルダ２９にはキャピラリー等の複数本（例えば６本）の分注体３１がマイクロプレート９における各ポケット９ａと一致する間隔を設けてＺ軸方向へ移動可能に支持され、夫々の
分注体３１は
圧縮ばね、ゴム等の弾性部材３５より、常には各分注体３１の下端相互が一致する高さとなるように付勢されている
　
ウ　「【００１７】次に、上記のように構成された微量分注装置１による分注作用を説明する。図４は試料の吸引保持状態を示す説明図である。図５〜図７は分注状態を示す説明図である。
・・・
【００１９】次に、シリンダー２７を復動して分注ユニット２５を上方へ持ち上げた後、第１電動モータ１７及び第２電動モータ２３を数値制御して平板１１上に位置させる。そして該位置にてシリンダー２７を作動して
分注ユニット２５を下方へ移動して各分注体３１の先端が平板１１上面に当接するタイミングで移動を中断し
各分注体３１の溝３１ａ内に保持されていた試料４１の一部を平板１１上面に付着させる
【００２０】次に、図６及び図７に示すように分注ユニット２５を上方へ移動すると、平板１１上に付着した試料４１の表面張力により溝３１ａ内から残りの試料４１を導出させる付着させる。これにより平板１１上には試料４１がナノ（１０−９）リットルのオーダーで分注される。その際、平板１１に付着した試料４１の表面張力は該試料４１の粘度に大きく依存している。
【００２１】尚、
平板１１上面に対して各分注体３１の先端が当接した際には、各分注体３１が弾性部材３５により弾性支持されて移動可能であるため、平板１１の破損を防止することができる
　
（７）周知例６
　本願出願日前に頒布された刊行物である，特開２００２−１８１８３７号公報（以下「周知例６」という。）には，図面とともに，次の事項が記載されている（下線は，当審にて付加した）。
　
ア　「【０００１】
【発明の属する技術分野】本発明は、
バイオチップの作製に用いられるスポットピン及びそのスポットピンを組み込んだバイオチップ作製装置
【０００２】
【従来の技術】従来から生化学における遺伝子などの研究では、複数種類のＤＮＡ、ＲＮＡ、
たんぱく質等の生体高分子からなるプローブをガラスプレートやナイロン又はニトロセルロースメンブレン等の基板にスポットしたバイオチップ
　
イ　「【００１０】
【発明の実施の形態】以下、図面を参照して本発明の実施の形態を説明する。図１は、
本発明によるスポットピン
外側筒体１２とピストン１３の間の隙間には、一端が外側筒体１２の底部に、他端が内側中空筒体１１の端部に固定されたコイルバネ１４が挿入されている
【００１１】外側筒体１２を内側中空筒体１１の外面に沿ってストッパ１５の方向にスライドさせるとき、ピストン１３は内側中空筒体１１の内面に密着してスライドする。このときバネ１４は、外側筒体１２の底部と内側中空筒体１１の端部との間で圧縮される。外側筒体１２をストッパ１５に向かって押し込む力を開放すると、バネ１４の作用によって外部筒体１２及び内部のピストン１３は元の位置に戻る。
・・・
【００１８】図６は、
スポットピン１０の内側中空筒体１１内部に吸引したサンプル２２をバイオチップ作製用の基板、例えばスライドガラス３０にスポットする
スポットピン１０の先端（内側中空筒体１１の先端）がスライドガラス３０の表面に接触した状態から
外側筒体１２を下方に長さＣだけ押し込む
　
３　対比
　本願補正発明と引用発明とを対比する。
　
（１）引用発明の「専用スポッターにより，・・・サンプルをチップ上に固定し，金属薄層上に複数の物質を固定化したアレイを作製する」ことは，本願補正発明の「スポッター内部を閉鎖空間とし、加湿機構を設け、該スポッター内部の空気を循環させることにより基板周囲の湿度を７０％ＲＨ以上に保ち、かつ緩衝材とともに取り付けられたピンを金属基板上に接触によってスポッティング操作を行うこと」と，「スポッターにより金属基板上にスポッティング操作を行うこと」で共通する。
　
（２）引用発明の「専用スポッターにより，スポッティング径 500μm，スポッティング間隔 1mmでサンプルをチップ上に固定」することについて，「スポッティング間隔 1mm」が，スポッティングの外縁の最短距離であるのか，スポッティングの中心間間隔であるのか，明らかではないが，いずれの場合でも「スポッティング径 500μm」であることからして，スポッティングの中心間間隔は１．５ｍｍ以下となるから，引用発明の「専用スポッターにより，スポッティング径 500μm，スポッティング間隔 1mmでサンプルをチップ上に固定」することについて，そのスポッティングの中心間間隔は，本願補正発明の「スポッティングの中心間間隔が１．５ｍｍ以下である」ことに相当する。
　
（３）引用発明の「金属薄層上に複数の物質を固定化したアレイを作製する，表面プラズモン共鳴（ＳＰＲ）イメージング法によって解析するためのアレイの作製方法」は，本願補正発明の「金属基板上の表面プラズモン共鳴イメージング測定用のアレイの作製方法」に相当する。
　
　そうすると，本願補正発明と引用発明とは，
「スポッターにより金属基板上にスポッティング操作を行う，スポッティングの中心間間隔が１．５ｍｍ以下である金属基板上の表面プラズモン共鳴イメージング測定用のアレイの作製方法。」
である点で一致しており，次の点で相違する。
　
相違点１：スポッターについて，本願補正発明は，その「内部を閉鎖空間とし、加湿機構を設け、該スポッター内部の空気を循環させることにより基板周囲の湿度を７０％ＲＨ以上に保」っているのに対し，引用発明の専用スポッターは，これらの点について明らかでない点。
　
相違点２：スポッティング操作について，本願補正発明では「緩衝材とともに取り付けられたピンを」金属基板上に「接触によって」行っているのに対し，引用発明ではどのようにしてスポッティングを行っているのか明らかでない点。
　
４　判断
　上記各相違点について判断する。
（１）相違点１について
　まず，本願出願時点における周知の技術を確認する。周知例１には，タンパク質をスポッティングするスポッタにおいて，湿度制御環境を提供するために，スポッタを囲い内に囲うことが記載されている。周知例２には，蛋白質などの生体高分子を同定・分画することや，ＤＮＡの分析等のために，バイオチップ上に結合されたプローブＤＮＡ等に試料を添加するための試料添加装置において，加湿装置から水蒸気を送り込むことによって筐体内の相対湿度を９５％以上に保つことが記載されている。周知例３には，スポッティング装置を含むセンサデバイスの製造装置において，加湿装置と除湿装置とを備え，装置周辺を一定の湿度で保つことにより，スポッティングされた微量の反応物質の乾燥を防ぐこと，好適な湿度は１００％であるが，装置の機器の耐湿度条件が上限で８０〜９０％であるため，その範囲内で加湿することが好ましいこと，またスポッティングを行う反応物質として，抗体や抗原などとすることが記載されている。これらのように，タンパク質など乾燥すると好ましくない物質をスポッティングするスポッターにおいて，筐体内を湿度制御ができるようにすること，乾燥を防ぐなどのために装置内に加湿するための構成を備え湿度の制御を行うこと，湿度として１００％に近い相対湿度とすることが好ましいことが，当業者には周知の技術である。
　また，周知例２には，筐体内の相対湿度を９５％以上に保つために，加湿装置から水蒸気を送り込むことが（摘記事項２（３）イ），周知例３には，加湿範囲は，装置全体または，スポッティングしている支持体周辺のどちらでもよいとされ，加湿装置をスポッティング装置から１．５〜２ｍ離し加湿を行うことや，一方から加湿し他方では除湿することにより支持体の周辺のみを加湿することが（摘記事項２（４）イ【００３７】），それぞれ記載されているように，湿度の制御を行うために加湿装置からの水蒸気を必要なところに送ることも周知の技術であり，ここで例えば周知例４に，所定の湿度に調節された環境を達成するために空気を循環させることが記載されるように，湿度の制御を行うために空気を循環させることも，当業者であれば適宜なしえたことである。
　してみると，引用発明の専用スポッターは，生体分子のような乾燥すると好ましくない物質のスポッティングを行うものであるから，筐体内を湿度制御ができるように閉鎖空間とし，加湿するための構成を備え，空気を循環させて湿度の制御を行うことで，アレイの周囲の湿度を１００％に近い相対湿度，例えば相対湿度７０％以上とすることは，当業者であれば，周知の技術を鑑み，容易に為し得たものである。
　
（２）相違点２について
　スポッティング装置において，スポッティングを行う針を弾性体によって支持すること，針を基板に接触させることでスポッティングを行うことは，周知例３（摘記事項２（４）イ【００３９】），周知例５及び周知例６それぞれに記載されるように，周知の技術である。
　そうすると，引用発明の専用スポッターにおいて，スポッティングを行う針を弾性体によって支持させ，針を基板に接触させることでスポッティング操作を行うようにすることは，当業者であれば，周知の技術を鑑み，容易に為し得たものである。
　
　そして，本願補正発明の作用効果は，引用発明及び周知の技術から，当業者であれば予測できる範囲のものである。
　
　以上のとおり，本願補正発明は，引用発明及び周知の技術に基づいて，当業者が容易に発明をすることができたものであるから，特許法第２９条第２項の規定により特許を受けることができない。
　
５　むすび
　したがって，本件補正は，平成１８年改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　平成２０年２月１３日付けの手続補正は上記のとおり却下されたので，本願の請求項１乃至４に係る発明は，平成１９年１０月４日付け手続補正書で補正された明細書の特許請求の範囲の請求項１乃至４に記載された事項により特定されるとおりのものであって，その請求項１に係る発明は，上記第２，１に記載のとおりのものである（以下，「本願発明」という）。
　
２　引用例
　原査定の拒絶の理由に引用された引用例及びその開示事項は，上記第２，２（１）に記載したとおりである。
　
３　対比・判断
　本願発明は，上記第２で検討した本願補正発明において，「スポッティング操作を行う」ことについて，「ピンを金属基板上に接触によって」と限定されていたものを，「ピンを用いて」とするとともに，「スポッティングの中心間間隔が１．５ｍｍ以下である」との限定を削除するものである。
　そうすると，本願発明の構成要件をすべて含み，さらに他の構成要件を付加したものに相当する本願補正発明が，上記第２，４に述べたとおり，引用発明及び周知の技術に基づいて，当業者が容易に発明をすることができたものであるから，本願発明も同様の理由により，引用発明及び周知の技術に基づいて，当業者が容易に発明をすることができたものである。
　　
４　むすび
　以上のとおり，本願発明は，引用発明及び周知の技術に基づいて，当業者が容易に発明をすることができたものであるから，特許法第２９条第２項の規定により特許を受けることができない。
　
　したがって，その余の請求項に係る発明について審理するまでもなく，本件出願は拒絶されるべきものである。
　
　よって，結論のとおり審決する。